(57)【要約】ダクト式送風機であって、ダクト４内にあって、気流取り入れ側を有しかつ運転時にダクト内に高圧気流を発生させる、動力で駆動されるファン７と、各ジェットノズル９へ送るために気流を方向を変え二つ以上の支流にするように配置されている気流分割手段１８と、を有し、ファンは前記気流分割手段１８に隣接して配置されている。この送風機は、垂直離陸能力及び空中静止能力を備え、並びに水平飛行動力源を提供するために航空機のような輸送機関で使用することができる。
2005531719.tif 000002
【特許請求の範囲】
【請求項１】
ダクト内にあって、空気取り入れ側を有しかつ運転時に前記ダクト内に高圧気流を発生させる、動力で駆動されるファンと、
前記気流を方向を変え二つ以上の支流にして各ジェットノズルへ送るように配置されている気流分割手段と、を有し、
前記ファンは前記気流分割手段に隣接して配置されていることを特徴とする、ダクト式送風機。
【請求項２】
前記気流分割手段が、四つの支流を発生するように設定された気流分割板であることを特徴とする、請求項１に記載の送風機。
【請求項３】
前記気流分割手段が、送風管により前記ジェットノズルに連結されていることを特徴とする、請求項１又は２に記載の送風機。
【請求項４】
前記ファンから出る気流内の旋回流を低減するように配置されたファン固定翼に隣接して配置された回転翼を前記ファンが有することを特徴とする、請求項１から３のいずれか１項に記載の送風機。
【請求項５】
前記気流分割板が、個別の気流ジェットノズルへの気流を調節するように動かすことのできる気流制御翼を備えていることを特徴とする、請求項１から４のいずれか１項に記載の送風機。
【請求項６】
翼の動きが、前記分割板の開口部を通過する流れに対して最小の障害となるように、前記気流制御翼が、前記気流分割板の斜め壁面に整列している軸の回りに回動するように取り付けられていることを特徴とする、請求項５に記載の送風機。
【請求項７】
請求項１から６のいずれか１項に記載の送風機を有することを特徴とする、可動プラットホーム輸送機関。
【請求項８】
請求項１から６のいずれか１項に記載の送風機を有することを特徴とする、航空機。
【請求項９】
添付図面のいずれか１つに関して明細書に実質的に記載されている送風機。
【発明の詳細な説明】
【技術分野】
【０００１】
この発明はダクト式送風機に関する。この発明は特に、航空機の位置及び姿勢を制御するための変動推力を発生する可動ジェットノズルを使用する、航空機又は飛行船用の送風機に関する。送風機のその他の使用先には、カメラ又は消火剤のような装置を運搬するのに適した空中静止装備を持つプラットホームが含まれる。別の可能性として、空中撮影をするために自由に移動できるプラットホームの提供がある。
【背景技術】
【０００２】
航空機において離昇を最初に行いその後に前進加速を行うために可動ジェットノズルを使用する原理は、英国特許明細書第８６１４８０号、同第８９９８６２号及び同第９０５６５１号（ホッカー（Ｈａｗｋｅｒ））に開示されている。これらの明細書は、離昇を行うために斜め下向きに回動してエンジンの推力方向を変更させる推力方向変更ノズルの配列体を開示している。この段階の後で、前進加速を行うようにノズルが回動されて、十分に高い速度で、必要な揚力が航空機の翼全体から得られる。その後ノズルは、前進運動をノズル単独で専ら行うように完全に機尾に向かった位置に回動される。
【発明の開示】
【発明が解決しようとする課題】
【０００３】
鉛直推力用の向きから後方推力用の向きへのノズル姿勢の変更は、航空機が略水平な飛行姿勢に一貫して保持されるように十分注意して行う必要がある。翼発生気流速度よりも小さい速度で、航空機の飛行姿勢は、しばしば、翼先端、機首及び尾翼に配置されていて飛行士により制御される第２ノズルにより調節することができる。もし、離陸時に横風が存在すれば、航空機の飛行姿勢は、特に注意深く管理する必要があろう。フルサイズの航空機においては、これは、過渡的姿勢において安定性を維持するために使用されるメカニズムである。しかし、航空機が模型航空機であれば、このメカニズムは使用できず、全ての制御調節は各ノズルから出る推力を調節することにより行われなければならない。
【０００４】
前述の明細書に開示されたノズル装置は四つのノズル配置であり、その内の二つは航空機の重心の前方に配置され、残りの二つはこの重心の後方に配置されている。これらのノズルは、比較的安定したプラットホームが形成されるように航空機の機首の右側及び左側に配置される。
【課題を解決するための手段】
【０００５】
この発明によれば、ダクト式送風機が提供されるが、この送風機はダクト内にあり、空気取り入れ側を有しかつ運転時にダクト内に高圧気流を発生させる、動力で駆動されるファンと、各ジェットノズルへ送るために前記気流を方向を変え二つ以上の支流にするように配置されている気流分割手段と、を有し、前記ファンは前記気流分割手段に隣接して配置されている。好ましくは、気流分割手段は、四つの支流を発生するように設定された気流分割板である。
【０００６】
気流分割板からジェットノズルへの支流の送風は、円形、楕円形その他の断面を持つそれぞれの送風管を通して行われる。
【０００７】
ファン回転翼は、ファンを出る気流内に存在する旋回流を低減するように配置されたファン固定翼に隣接して設けることができる。気流分割板は、各ジェットノズルへ向かう個別の気流を調節するように動かすことができる一つ以上の気流制御翼を有して設置される。
【０００８】
好ましくは、気流制御翼は気流分割板の直前に配置される。各制御翼は、気流分割板の斜め壁面に整列する軸の回りに回動して（空気流量の）バランスを取り、その斜め壁面は、分割板の開口部を通る気流に対する障害が最小となる位置に配置されている。
【０００９】
この発明は送風機が取り付けられた可動プラットホーム輸送機関を更に包含する。それは更に送風機を有する航空機をも包含する。
【発明を実施するための最良の形態】
【００１０】
この発明のダクト式送風機の説明は、使用するエンジンを選択することから始まる。本実施例において、これは、グロープラグ点火を採用し回転速度が２８０００ＲＰＭに達する２サイクル水冷却内燃機関（以下、「エンジン」という）である。図１及び図２が、エンジンの出力軸に直接固定された軸流ファン回転翼が搭載されたエンジンを示している。これらの図においてエンジンは作動シリンダ１を有し、これに直角に出力軸２が直線状に配置されている。エンジンは排気消音器３と、気化器付き燃料タンクを含む標準機器とを更に具備している。図１は、ファンにより生成された圧縮気流を閉じ込めるように働くケーシング４により囲まれたファン回転翼を示している。図２において、ケーシング４は、気流入口端でベル形開口６にした小変更をともなって示されている。
【００１１】
エンジンの出力軸２の端部にファン回転翼７が取り付けられ、そのファン回転翼７の翼がシリンダ１の方向へ送風するように整列されている。流入気流は、気流分割板８により４つの流れに分割され、これらの流れは調節式ノズルへ送られ、そのノズル９の内の二つが図１の左手に見える。
【００１２】
ノズル９は、四つの気流を気流分割板８から四つのノズル９へ運ぶ送風管１１の端部に配置されている。ノズルの調節は、それぞれの気流を前方、下方又は後方へ向けることを目的としてノズルが回動できるように送風管１１の端部の回りに各ノズル９を回動することにより行われる。各ノズルの回動はそのノズルの傍にある第１サーボモータ１２を操作することにより行われる。第１サーボモータ１２は四つあり、一つのサーボモータ１２がノズル９各々のために設けられている。気流効率を改善し気流損失を低減するために、気流案内翼をダクトやノズルの中に設けることも可能であるが、設けなくても良い。
【００１３】
図３は更に構造の詳細を示しているが、そこでは前部ケーシング４は取り外されており、エンジンの左手のノズルが省略されている。ファン回転翼７の直ぐ下流に、ファン固定翼１３を有する整流用固定翼が設けられてファンを出る気流内に存在する旋回流を低減する。ノズル９（図１）へ送るための四つの分離した流れに気流が分割されるように配置された四つの通路を備えて気流分割板８が気流を横切って取り付けられている。気流分割板の形状は、流入気流が円滑にかつ流線状に四つの小さな流れに実質的に均等に分割されるようになっている。これには、各気流分割通路の上流側に設けられている濾斗状流入口１４が部分的に効果を及ぼしている。
【００１４】
図４はダクトファン固定翼１３を備えた気流分割板８を示しているが、その固定翼１３は分割板８の前端にあるボスに取り付けられている。更に各気流分割通路の先端で、気流分割板が通路の前部の面に取り付けられた気流制御翼１６を支持している。四つの気流制御翼があり、これらはより小さい気流が通過する対になった通路間に配置されている。従って、もし気流制御翼が対になった通路を通る気流に平行に位置付けられれば、二つの通路を通る等しい気流が存在することとなる。しかし、もし気流制御翼が気流に対して小さい角度を付けて位置付けられれば、一方の通路を通る気流は減少するが、他方の通路を通る気流は増加するであろう。対になった通路間に配置された気流制御翼を備えた四つの気流分割通路が存在し、この構成が個別の通路を通過する空気流量に対して広範囲の調節を行うことを可能としている。
【００１５】
図５は四つの気流制御翼１６を支持している気流分割板８を示している。各気流制御翼は内側端部でその面１７に接触しており、第２サーボモータ１８（図１）によりエンジン出力軸に対して放射状の軸の回りに各翼の外側端部が動くことができる。第２サーボモータ１８は、作動時にはファン組立体を取り囲むケーシング４に支持されている。
【００１６】
気流分割板８は更に円筒形ボス１９を有しているが、これはファン固定翼１３が剛構造で支持されることができるようにスプラインを備えている。エンジンの出力軸２（図２）はもちろん、この軸の端部にファン回転翼７が固定できるように気流分割板８を貫通している。
【００１７】
気流分割板８の下流側は固定手段２１（図３）を有しているが、四つの気流を案内する送風管が該固定手段により分割板に取り付けられている。図１に示すように、エンジンの左手に配置された送風管１１が２本あり、別の２本の管（図１には見えない）が右手にある。各送風管は最後部がノズル９に連結されており、図１に見える２本のノズルが各側で送風機を上昇させようとするジェット推進反力を生ずるように下方を向いて示されている。同様の作用が、その送風機の反対側にあるノズルからも生ずる。しかしノズルは各々、ノズルを支持している送風管の端部の回りに回動することができる。各ノズルの位置は、各ノズル用にそれぞれの第１サーボモータを配置することにより調節される。従って、必要であれば、全てのノズルが上向きの推力を発生することが可能であり、あるいはノズルがそのサーボモータにより適切に位置設定されているならば、前向き推力と上向き推力とを合成することも可能である。
【００１８】
図６は、気流制御翼１６がその面１７から取り外された後の気流分割板８を示している。
【００１９】
図７は、気流分割板８の別の実施例の４面を示している。分割板の上部にある二つの気流通路は一定の距離で互いに離れており、一方、分割板の下部にある二つの通路は狭い間隔で離れている。この配置により、関連する送風管がエンジン構造体の周囲を通ることができる。
【００２０】
図８は気流分割板の一方からの斜視図であり、定位置にある気流制御翼を示している。
【００２１】
図９は、気流制御翼を定位置に備えた気流分割板の反対側からの図である。その偏向軸２０が水平線上にある２組の気流制御翼１６が、下方の二つの通路に対する間隔よりも小さい間隔で上方の二つの気流通路に対して間隔を置いていることに気付かれよう。同様にこのことは、送風管がエンジン構造体の回りを通過することを可能としている。
【００２２】
図１０は、気流分割板８内の二つの通路間に配置されている気流制御翼の部分断面図である。図の左手と右手とに気流通路が配置されている。反時計方向への最上部気流制御翼１６の傾斜により、右手通路を流れてきた気流の一部が左手通路へ方向変換されることが明らかである。気流制御翼が流入気流に平行となる位置へ戻されると、再び等量のエアが二つの通路を流れるようになる。
【００２３】
図１１は第２サーボモータ１８を備えた気流制御翼１６の４面を示している。サーボモータ１８は、モータの作動が制御翼を小さい角度で回動させるように傘歯車装置により気流制御翼１６に連結された出力軸を有する。各気流制御翼１６は、矩形スリーブと中央仕切板とを備えた箱状構造を有する。このように各気流制御翼１６は、気流用の二つの平行な通路を形成しており、この箱を回動することにより、気流を回動軸に関していずれの側にも向けることができる。
【００２４】
図１２は、この発明のダクト式送風機が組み込まれている航空機の構造を示している。この場合、航空機は、前述の特許明細書の一つに開示されたホッカー（Ｈａｗｋｅｒ）機である。その航空機は短距離離着陸仕様であり、前方を向いた空気取り入れ口２３を備えているが、これらは胴体の両側に一つずつ配置されている。この航空機は更に、２基の前方ジェットノズル２４と同数基の後方ジェットノズル２６とを備えている。ノズルは前述したように回動自在であり、図に示された配置では、操縦及び制動目的のため逆推力を生ずるようにノズルは前方へかつ斜め下方に向けられている。
【００２５】
模型航空機に搭載可能で市販の標準無線送信機により操縦することのできる送風機制御装置が案出された。航空機は、動力制御、方向舵、昇降舵、補助翼、フラップ、縦揺れ横揺れ空中静止制御のための十分な操縦機能を備えている。従って、航空機は空中静止することができ、そして空中静止から前進飛行へ移行し、そして空中静止へ復帰することが可能となる。センサに基づく制御装置が組み込まれた。第１及び第２のサーボモータ１２、１８は、ノズルと気流制御翼とが互いに独立して調節できるように計算機制御の装置により駆動された。実際には、一組の気流制御翼がエンジン軸の反対側にある対応する組の翼と同時に動かされるように、気流制御翼は対で制御されるように配置された。
【００２６】
ダクト式送風機を構築するに際し、多くの構成部品が重量を最小にするため炭素繊維複合材又はプラスチック射出成型法のいずれかにより製作することが可能であることが判明した。ダクト、気流制御翼、エンジンマウンティング、ノズル、回転翼及び固定翼ファン装置、並びに気流分割板は、これら工法のどちらか一方により製作された。気流制御翼１６は各々、上部部材及び下部部材によりリンク結合された空気力学的設計の３個の翼の中空箱状構造体を有する。好ましくは、翼の外側は回動中の翼効率を改善するためにわずかに外側に拡げられている。
【００２７】
ダクト式送風機の運転において、送風機は、図１２に示すホッカー機に似た航空機の胴体への組み込みに適していることが判明した。エンジン、昇降舵、フラップ及びサーボモータの運転を制御するために航空機に搭載された適切な無線制御装置を用いて、模型航空機を本物のように巧妙に操縦することができる。操縦には、垂直離着陸、前進飛行への移行、空中静止への移行復帰、着陸及び後進飛行が含まれる。
【００２８】
このタイプの航空機における別の有用な動きは、水平面における通常は垂直軸回りの航空機の角運動であるヨーイング運動である。ホッカー機において、ヨーイング運動を発生させるための偶力は、航空機の胴体の機首と後部支柱とに配置された反動制御弁を通過して高速気流を導くことにより得られる。対照的に、この発明の航空機においては、二つの左手胴体側ノズルを一方向へそして二つの（右）手ノズルを反対方向へ回動することにより得られる。このように、ヨーイング運動は反対回動されるノズル列を使用することにより得られる。
【００２９】
図１３は、前方に回動された二つの左側ノズル９（図の上部分）と後方に回動された二つの右側ノズル９（図の下部分）とを備えた送風機の平面図を示している。従って推力は、鉛直軸を中心として反時計方向へ航空機を回動するように向けられる。
【００３０】
更に、空中静止姿勢において、横揺れ面か縦揺れ面かの中心点から離れるように航空機が動くと、ノズルが地面に関して常に鉛直方向下向きになるようにノズルは個別に調節することができる。こうすることは、航空機の安定した空中静止を維持するために最大ジェット推力を確実に下向きに供給することに役立つ。
【００３１】
この発明の実施例の以上の説明は、例示としてのみ行われ、添付の特許請求の範囲に規定されたこの発明の範囲から離れることなく、多くの変形をすることが出来る。例えば、２サイクル内燃機関である動力源の代わりに、動力源はモータ制御器及び燃料電池又は再充電可能な蓄電池付きブラシレスモータであっても良い。模型ガスタービンも更なる可能性がある。更に気流制御翼の部材は、３個の空気力学的気流方向変換翼を支持する中空箱構造であると説明してきた。別の実施例において、気流制御翼部材は、この数以上又は以下の気流方向変換翼部材を持つこともできよう。
【００３２】
ダクト内で対角線上の対向位置に配置されている可動気流制御翼を備えた中央ダクトを下って送風される代替構造の送風機を提供することも可能である。そこでは、気流制御翼は、左手又は右手送風管の一方又は両方へ気流の一部を方向転換するように作用する。従ってこの構成は、３個のジェットノズルのみを持つ航空機にも使用できよう。
【００３３】
２サイクルエンジンの運転性能を大いに改善し無限に維持可能な空中静止飛行を可能とするために、冷却システムがエンジンヘッドと排気マニホールド／出力調整パイプの双方のために導入されている。水、エチレングリコール、又は同様な流体冷却材が、エンジン駆動軸により直接的に又は電動機により遠隔操作されて、駆動されるポンプに接続された冷却ダクトによりこれらの構成部品を通って循環される。そして、「熱い」冷却材は、ダクトファンシュラウドと、アルミニウム、炭素繊維複合材又は同様の材料から製作され良好な熱伝導特性を持つ送風管とから形成された熱交換器を回って再循環される。このダクトの内側を強制的に通過させられる高速気流の作用により、流体冷却材から必要量の熱を奪う冷却が実行される。熱交換器の更なる利点は、後部送風管を通過する際に熱伝達の結果として気流を膨張させて、ジェットノズル出口における推力を少量増加させることである。飛行中この熱交換器の外面は、空気取り入れ口直後の流入気流により強制的に通過させられる気流にさらされるであろう。この作用は、利用可能な冷却の効果を更に増加させることができる。
【図面の簡単な説明】
【００３４】
【図１】ダクト式送風機の端部斜視図である。
【図２】そのダクト式送風機の反対側から見たかつ一部が切断除去された同様の図である。
【図３】前部エンジンケーシング部材が取り外された送風機エンジンを示している。
【図４】ダクトファン固定翼を備えた気流分割板を示している。
【図５】気流制御翼を備えた気流分割板を示している。
【図６】気流分割板を示している。
【図７】気流分割板の別の実施例の４面を示している。
【図８】定位置にある気流制御翼を示している気流分割板の一端の斜視図である。
【図９】気流制御翼を示している気流分割板の反対端の図である。
【図１０】気流分割板の一つの通路からの気流を別の通路へ方向変換することのできる気流制御翼の傾斜状態を示す部分断面図である。
【図１１】異なる方向から見た４面において気流制御翼とサーボモータの組合せを示している。
【図１２】この発明のダクト式送風機を使用している一つの航空機構造を示している。
【図１３】装置のヨーイング運動を生ずるように方向が定められたノズルを備えた送風機の平面図である。
【図１】
2005531719.tif 000003
【図２】
2005531719.tif 000004
【図３】
2005531719.tif 000005
【図４】
2005531719.tif 000006
【図５】
2005531719.tif 000007
【図６】
2005531719.tif 000008
【図７】
2005531719.tif 000009
【図８】
2005531719.tif 000010
【図９】
2005531719.tif 000011
【図１０】
2005531719.tif 000012
【図１１】
2005531719.tif 000013
【図１２】
2005531719.tif 000014
【図１３】
2005531719.tif 000015
【国際調査報告】
2005531719.tif 000016
2005531719.tif 000017
2005531719.tif 000018